(57)【要約】【課題】センサシステムに関する高い汎用性、従って施設の高い信頼性及び可用性を比較的僅かな費用で保証することができる制御システムを提供する。【解決手段】少なくとも、センサシステムの冗長式の複数のセンサ（１〜３）にセンサ側プロセッサ回路（４）が対応付けられており、該センサ側プロセッサ回路（４）は、対応付けられている複数のセンサ（１〜３）をエラーの無い動作について継続的に検査し、中央プロセッサ装置（５）の入力端をエラーのある信号から保護又はブロックし、センサ側プロセッサ回路（４）は単に、エラーの無いものとして識別されたセンサからの信号を一つのチャネルにおいてその都度転送するか、又は、更に処理する。【選択図】図１
2013171586.tif 000002
【特許請求の範囲】
【請求項１】
所定の動作パラメータを監視し、且つ、冗長式の複数のセンサ（１〜３）を有しているセンサシステムを備えており、前記センサシステムからの測定データを制御システムの中央プロセッサ装置（５）の入力端に供給することができ、前記中央プロセッサ装置（５）自体は、出力端において、タービン又は電力プラント等の動作制御素子と通信する形式の、蒸気タービン及びガスタービン及び／又は電力プラントの制御システムにおいて、
少なくとも、前記センサシステムの前記冗長式の複数のセンサ（１〜３）にはセンサ側プロセッサ回路（４）が対応付けられており、該センサ側プロセッサ回路（４）は、対応付けられている前記複数のセンサ（１〜３）をエラーの無い動作について継続的に検査し、前記中央プロセッサ装置（５）の前記入力端をエラーのある信号から保護又はブロックし、前記センサ側プロセッサ回路（４）は単に、エラーの無いものとして識別されたセンサからの信号を一つのチャネルにおいてその都度転送するか、又は、更に処理することを特徴とする、制御システム。
【請求項２】
前記センサ側プロセッサ回路（４）は、エラー無く動作しているセンサからの信号を、前記中央プロセッサ装置に要求される所定のプロフィールに応じて変換する、請求項１に記載の制御システム。
【請求項３】
前記センサ側プロセッサ回路（４）は、欠陥のあるセンサを報告するためにディスプレイ（７）を制御する、請求項１又は２に記載の制御システム。
【発明の詳細な説明】
【技術分野】
【０００１】
本発明は、冗長式の複数のセンサを有しており、所定の動作パラメータを監視し、それらの動作パラメータに由来する測定データを制御システムの中央プロセッサ装置の入力端に供給することができるセンサシステムを含んでおり、中央プロセッサ装置自体は、出力端において、タービン又は電力プラント等の動作制御素子と通信する形式の、蒸気タービン及びガスタービン及び／又は電力プラントなどのための制御システムに関する。
【０００２】
更に本発明は、その種の制御システムのためのセンサ装置に関する。
【背景技術】
【０００３】
最適な動作のために、ガスタービン施設及び蒸気タービン施設においては種々のパラメータが監視される。このコンテキストにおいては、例えば、低振動又は最適な動作シーケンスが保証されるように動作パラメータを制御するために、ガスタービンの燃焼室内のノイズ又はタービンの部品内の振動もしくはタービンの部品における振動の検出に使用されるセンサシステムを参照する。
【０００４】
この場合一般的には、エラーの無い動作のためにセンサシステムを定期的に監視すること、及び／又は、制御システムの動作に必要とされる、関連する変数を導出するためにセンサ信号を使用することが必要である。
【０００５】
従って、中央プロセッサ装置は、動作制御素子又は燃焼プロセスのために燃料又は空気の供給を制御する素子に対する出力コマンドを形成する前に、広範な事前作業を実行しなければならない。この事前作業は、あらゆるケースにおいて使用されるセンサシステムに適合させなければならない種々のプロセッサ機能を表しているに等しい。
【０００６】
これによって、センサシステムの設計を事後的に容易に修正することができないという問題が生じる。これは例えば、設計を修正することによって、センサシステムの信号フォーマットも修正され、この修正された信号フォーマットを容易に処理できないことに起因する。
【０００７】
特許文献１には、回転する機械部品の回転速度を冗長式のセンサ及び評価回路によって求めるための装置が開示されている。この刊行物に開示されている装置は、並列に配置されており、且つ、それぞれが別個のチャネルの形態である二つの部分装置から構成されている。それらの部分装置の内の一方は回転速度を監視するタスクを実行するには十分である。センサ信号は、いずれの場合も二つの評価回路によって評価される。「三つの内の二つ」の冗長性は、各部分装置における回転速度信号に関して提供される。即ち、各部分装置の信号入力端に供給される少なくとも三つの回転速度信号の内の一つに誤りがある可能性があり、その際に、その誤りによって危険に晒される各部分装置の機能を監視する必要は無い。施設の高い可用性及び信頼性をこの技術的な解決手段によって達成することはできるが、装置の増大した費用はやむを得ない不利益に他ならない。
【先行技術文献】
【特許文献】
【０００８】
【特許文献１】WO 2004/005938 A1
【発明の概要】
【発明が解決しようとする課題】
【０００９】
このことは、センサシステムに関する高い汎用性、従って施設の高い信頼性及び可用性を比較的僅かな費用で保証することができる制御システムを提供するという課題を基礎とする本発明の出発点である。
【課題を解決するための手段】
【００１０】
この課題は、本発明によれば、センサシステムの少なくとも幾つかの冗長式のセンサにはセンサ側プロセッサ回路が対応付けられており、このセンサ側プロセッサ回路が、対応付けられている（一つ又は複数の）センサをエラーの無い動作について継続的に検査し、中央プロセッサ装置の入力端を（一つ又は複数の）センサからのエラーのある信号から保護又はブロックし、センサ側プロセッサ回路は単に、エラーの無いものとして識別されたセンサからの信号を一つのチャネルにおいてその都度転送するか、又は更に処理することによって解決される。
【００１１】
従って、本発明は、センサをエラーの無い動作について継続的に監視又は検査し、また出力端においては、エラーの無いものとして識別されたセンサからの信号と所定の相関関係を有している信号のみを送信するプロセッサ回路が対応付けられているセンサによって特徴付けられているセンサ装置を含む。
【００１２】
本発明は、エラーの無い動作についてセンサを検査し、また中央処理コントローラに対するセンサ信号をその中央処理コントローラの外側において調整し、それにより、中央処理コントローラは、それぞれの施設の動作シーケンスを制御するための「コア機能」のみを実行すれば良いという一般的なコンセプトを基礎としている。
【００１３】
従ってその結果、中央プロセッサ装置の作業を、動作素子に関する最適な操作変数を求めるための純粋な計算機能に制限することができる。反対に、それぞれの計算プロセスに必要とされる入力変数の形成及びフォーマッティングは「外部委託」される。
【００１４】
本発明の一つの有利な実施の形態によれば、基本的には公知のやり方で、個々のセンサに欠陥がある場合でも、最適な動作シーケンスを保証することができるようにするために、それぞれが冗長式の複数のセンサから成る複数のセンサグループを有しているセンサシステムが設けられている。
【００１５】
そのような施設の実施の形態の場合、本発明によれば有利には、センサグループを成す冗長式の複数のセンサに対応付けられている別個のプロセッサ回路が設けられており、このプロセッサ回路は各センサをエラーの無い動作について監視し、グループ内のあるセンサに欠陥がある場合には、そのグループ内のエラーの無いセンサからの信号のみを更に処理し、中央プロセッサ装置に対する入力信号を形成する。
【００１６】
それと同時に、センサグループに対応付けられているプロセッサ回路はディスプレイを制御し、それによりエラー信号がディスプレイ上に表示され、欠陥のあるセンサを次の機会に置換することができる。
【００１７】
センサグループに対応付けられているセンサ側プロセッサ回路はいずれの場合にもエラーの無いセンサからの信号だけを処理し、その信号を中央プロセッサ装置へと供給するので、動作中のセンサの置換に適したやり方でセンサが設けられている場合、原理的には、それぞれの施設の動作中に欠陥のあるセンサを置換することが可能である。いずれの場合にも、センサシステムはセンサ側プロセッサ回路を介して本発明による中央プロセッサ装置と通信するので、制御システムの作業に欠陥があることはない。
【００１８】
本発明の更に重要な特徴及び利点は従属請求項、図面、また図面を参照する関連する説明より明らかになる。
【００１９】
勿論、上述の特徴及び下記において説明する特徴は、それぞれ既述の組み合わせのみで使用されるのではなく、本発明の範囲から逸脱することなく別の組み合わせ又は単独で使用することができる。
【００２０】
本発明の有利な実施例は図面に示されており、それらの実施例を以下において詳細に説明する。同一の参照符号は同一、又は類似する、又は機能的に同一のコンポーネントを表している。
【図面の簡単な説明】
【００２１】
【図１】センサグループと所属のプロセッサ回路の概略図を示す。
【図２】センサ側プロセッサ回路によるセンサ信号の例示的な処理を概略的に示す。
【発明を実施するための形態】
【００２２】
図１によれば、電力プラント（詳細には図示していない）は、所定のパラメータの検出に使用することができる冗長式のセンサ１〜３を有することができる。例えば、センサ１〜３はガスタービン施設の燃焼室装置のノイズ又は蒸気タービン施設のノイズ等を検出することができる。本発明によれば、冗長式のセンサ１〜３には一つのセンサ側プロセッサ回路４が対応付けられており、このセンサ側プロセッサ回路４の動作を以下において詳細に説明する。プロセッサ回路４はセンサ信号を、事前に規定可能な調整が行なわれた後に、電力プラントの制御システムの中央プロセッサ装置５に転送する。続いて、中央プロセッサ装置５は、基本的には公知のやり方で、例えば燃料供給用の動作制御素子を制御するドライバ６のための信号を形成する。
【００２３】
このセンサ側プロセッサ回路４は少なくとも一つの入力端プロセッサユニット４’を有しており、この入力端プロセッサユニット４’はセンサ１〜３からの信号を受信し、それらの信号をエラーの存在について検査する。この検査を、例えばセンサのノイズスペクトルを評価することによって実施することができる。しかしながら原理的には、所望のあらゆる形式のエラー検査が可能である。全てのセンサ１〜３からの信号にエラーが無い場合、機能的にスイッチのように動作する別のプロセッサユニット４''における基本的に任意の条件に従い、それぞれのセンサ信号を転送するためにセンサ１〜３の内の一つが選択される。
【００２４】
プロセッサユニットがセンサ１〜３の内の一つの動作に欠陥があることを確認した場合には、プロセッサユニット４''はそれぞれのセンサ信号を転送するために、動作にエラーの無いセンサの内の一つを選択する。いかなる場合においても、動作に欠陥のあるセンサはその信号の転送から排除される。
【００２５】
プロセッサユニット４''によってそれぞれ転送されるセンサ信号をダウンストリームプロセッサユニット４'''において更に「調整する」ことができる。このことは、例えば、中央プロセッサ装置５がそれぞれのセンサ信号の直接的な処理に適したものでない場合には好適である。何故ならば、中央プロセッサ装置５は例えば変換によってセンサ信号から導出された信号しか処理できないからである。
【００２６】
このことを、以下では図２を参照しながら説明する。一般性を制限することなく、センサ１〜３はノイズを検出することができる。動作にエラーが無い場合、各センサ１〜３は、図２のＡに応じた時間ｔを基礎とする出力信号Ａを形成する。この場合、出力信号Ａは、検出すべきノイズの音波振動に類似するように振動するダイアフラムの運動の振幅を表すことができる。
【００２７】
ここでは一例として、中央プロセッサ装置５が出力信号Ａを直接的に処理することは全く意図していないことを前提とする。むしろ、中央プロセッサ装置５を、自身の出力信号を決定するために音波振動のスペクトルを処理するように設計することができる。このスペクトルは一例として図２のＢに示されており、音波振動の強度Ｉが周波数ｆとの関係で示されている。
【００２８】
ここで中央プロセッサ装置５が図２のＢに応じた信号を必要とする場合、センサ側プロセッサ回路４のプロセッサユニット４'''はスペクトル分析を実行し、それにより図２のＡに応じた信号を図２のＢに応じた信号に変換することができる。従ってこの実施例において、プロセッサユニット４'''は、エラー無く動作しているセンサ１〜３からの信号を、中央プロセッサ装置の作業に適した信号に変換するために使用される。つまりプロセッサユニット４'''は、中央プロセッサ装置５に供給することを意図した、変換された形態でのみプロセッサ装置によって処理することができる信号を相応に変換するインタフェース機能を有している。
【００２９】
そのようにして、中央処理装置を「支援する」ことができるか、又は、中央処理装置を専ら「コア活動」を実行するために設計することができる。これによって、センサの設計が変更され、またセンサ信号の構造について関連する変更が行なわれた場合、センサ側プロセッサユニット４だけが相応に適合されていれば良いという利点も同時に提供される。つまり、センサ側プロセッサユニット４とは異なり、中央プロセッサ装置５に対して何ら変更は行なわれないままである。このことはそれと同時に、センサシステムが変更された場合であっても実行すべき動作形式は変更されないことから、中央プロセッサ装置５が比較的単純な設計を有することができるという利点にも関連付けられている。信号変換に関する別の可能性を図２のＡ及びＣを用いて説明する。
【００３０】
この例においてセンサ１〜３は振動を検出することができ、出力信号Ａはこの場合、検出された振動の振幅を表すことができる。ここでは、異なる振幅の周波数分布のみが中央プロセッサ装置５の作業にとって重要であることを前提とする。そのような場合、プロセッサユニット４'''は図Ａに示されているセンサ信号を、種々の振幅Ａの周波数分布Ｈを表す図Ｃに示されている信号に変換することができる。
【００３１】
要約すると、本発明は、冗長式のセンサ１〜３にはセンサ側プロセッサ回路４が対応付けられており、このセンサ側プロセッサ回路４は一方ではセンサをエラーの無い動作について検査し、冗長式のセンサにおいてエラー無く動作しているセンサの内の一つをその都度選択し、そのようなエラー無く動作しているセンサのセンサ信号を転送するという作用効果を奏することができるという特徴を有している。従って、本発明によるこの解決手段においては、中央プロセッサ装置５に対して信号を供給するセンサが常に一つ存在している。つまり、単一チャネル保護システムにおけるより高い信頼性及び可用性を達成するために、センサの冗長性が高められている。
【００３２】
他方では、センサ側プロセッサ回路４は、転送すべきセンサ信号を中央プロセッサ装置５の作業にとって最適な形式に変換するために使用される。従って、中央プロセッサ装置は「コア機能」のみを実行すれば良い。つまりセンサ側プロセッサ回路４は、中央プロセッサ装置のための事前作業を担い、それにより、中央プロセッサ装置はその負荷が非常に軽減されており、最終的にはより高い信頼性を有することができる。
【００３３】
センサ側プロセッサ回路４は動作に欠陥があるセンサからの全ての信号を抑制するので、施設を動作させながら、それと同時にセンサを置換することができる。このコンテキストにおいて、有利には、センサ側プロセッサ４は置換されるべきセンサを指示するディスプレイ７を制御する。必要であれば、実行すべき検査作業もディスプレイ７に表示することができる。原則として、それぞれのセンサ側プロセッサ回路４が相応の情報を中央プロセッサ装置５に転送する場合に、ディスプレイ７を中央プロセッサ装置５によって事前に制御することもできるが、センサ側プロセッサ回路４は欠陥のあるセンサをいずれにせよ検出しなければならないので、センサ側プロセッサ回路４によるディスプレイ７の制御が有利である。
【符号の説明】
【００３４】
１，２，３  センサ、  ４  センサ側プロセッサ回路、  ５  中央プロセッサ装置、  ６  ドライバ、  ７  ディスプレイ、  Ａ  振幅、  ｆ，Ｈ  周波数、  Ｉ  強度
【図１】
2013171586.tif 000003
【図２】
2013171586.tif 000004
【外国語明細書】
2013171586.tif 000005
2013171586.tif 000006
2013171586.tif 000007
2013171586.tif 000008
2013171586.tif 000009
2013171586.tif 000010
2013171586.tif 000011
2013171586.tif 000012
2013171586.tif 000013
2013171586.tif 000014
2013171586.tif 000015
2013171586.tif 000016